(57)【要約】【目的】従来の庫内カーテンに、マイナスイオンによる効果を付加するのが目的である。【構成】微弱放射性鉱物又は遠赤外線放射鉱物を原料とした、セラミック又はセラミックボールをカーテンに取付け、又簡易タイプとしてマイナスイオンシールをカーテンに張付け、又はカーテンにマイナスイオン塗料を塗布する構成のものである。【選択図】              図３
2005016921.tif 000002
【特許請求の範囲】
【請求項１】
微弱放射性鉱物及び遠赤外線放射鉱物を原料とした、セラミック又はセラミックボール７を庫内カーテン４に取付けた、電気冷蔵庫用マイナスイオンカーテン。
【請求項２】
請求項１に記載のセラミックに変わり、マイナスイオン発生シール６を庫内カーテン４に貼付けた、電気冷蔵庫用マイナスイオンカーテン。
【請求項３】
請求項１に記載の庫内カーテン４に冷気穴５を設け、庫内冷気の一部を冷蔵庫扉裏面の収納棚に届くようになしたる、電気冷蔵庫用マイナスイオンカーテン。
【請求項４】
請求項１に記載の庫内カーテン４に、マイナスイオン発生塗料を吹付けた、電気冷蔵庫用マイナスイオンカーテン。
【請求項５】
請求項１に記載の庫内カーテン４を、マジックテープ８により図４のように、持ち上げ使用を可能とした、電気冷蔵庫用マイナスイオンカーテン。
【請求項６】
マイナスイオン発生セラミックボール７により、水をマイナスイオン化したイオン水により、庫内の清掃に使用する庫内のエコロジー清掃。
【発明の詳細な説明】
【０００１】
【発明の属する技術分野】
本発明のものは、登録実新第３０６０２８９号電気冷蔵庫用カーテンに関する一連の出願で、庫内カーテンをマイナスイオン及び遠赤外線の発生源とし、従来の庫内保冷省エネ効果と同時に、庫内食品の鮮度保持と庫内脱臭効果を有する製品を提供するものである。
【０００２】
【従来の技術】
従来よりの庫内カーテンは庫内の保冷省エネ効果のみで、脱臭剤をカーテンに取付ける事で、庫内脱臭効果をうたった特許出願も見られる。
【０００３】
本発明のものは、マイナスイオンと遠赤外線効果をプラスする事により、庫内食品の鮮度保持と庫内脱臭の効果を有するものである。
【０００４】
【発明が解決しようとする課題】
本発明が解決しようとするのは、マイナスイオンにより従来の保冷省エネ効果よりも、より優れた製品を提供するのが課題である。
【０００５】
【課題を解決するための手段】
この課題を解決するための手段として、本発明のものは、微弱放射性鉱物及び遠赤外線放射鉱物を原料としたセラミック又はセラミックボール、又はマイナスイオン発生シール、あるいはマイナスイオン塗料を塗布することで、庫内カーテンをマイナスイオンの発生源とするものである。
【０００６】
【発明の実施の形態】
本発明のものは、従来よりのトルマリン鉱石のように、常に刺激を与えることでマイナスイオンを発生するものと異なり、外部よりの刺激がまったく必要の無い、半永久的にマイナスイオンと遠赤外線を放射する、微弱放射性鉱物及び遠赤外線放射鉱物を原料とし、これのセラミック又はセラミックボールを庫内カーテンに取付け使用するものである。
【０００７】
【実施例】
地球上の大気圏では、宇宙線、空中ラドン及び地殻の鉱物、植物からの自然放射線によって、空気中の水分子塊がプラスとマイナスにイオン化され、それが中和、消費、発生を繰り返し、直径０．０００５〜０．１ミクロンの水蒸気の細かい水分子塊に付着して遊離している地球付近では、晴天時その数は５０００個／ｃｍ程度で。プラスイオンはマイナスイオンより１０％程度多いのが平均的な値である。
【０００８】
しかし、近年住宅の密閉度が良くなり室内では、タバコの煙や目立たないゴミなどの浮遊粉塵が発生し、これにプラスイオンが付着する状態になり、それと中和して落下するためにマイナスイオンを消費する。  その結果室内ではプラスイオンとマイナスイオンの濃度が、外気の１／２程度に減少する。
本発明のものは、このような現象を正常に戻すと共に、田園地帯、森林、海岸等空気の汚れの少ない地域のイオン濃度を、電気冷蔵庫１の庫内に再現させる目的で、微弱放射性鉱物の加工セラミツクを庫内カーテン４に使用するものである。
【０００９】
このマイナスイオンの発生源であるセラミックを、メーカー側にてそのマイナスイオンの発生量を測定し、４０３０個／ｃｃのマイナスイオン量を実測すると共に、アンモニア等に対する消臭効果も有ることが報告されている。
【００１０】
次いで図によって説明する、図１は電気冷蔵庫１内に、庫内カーテン４を取付けた所を示すもので、図２は庫内の冷気の一部を、冷蔵庫１の扉裏面の棚に冷気を送る穴５を設けたもので、図２はカーテン４にマイナスイオン発生シール６を張付けたものである。
【００１１】
これに対して図３は、カーテン４に、マイナスイオン及び遠赤外線発生鉱石を加工した、セラミック又はセラミックボール７を取付けたもので、このカーテン４の効果は、イオンカーテン取付け前の庫内のマイナスイオン量は３４０個／ｃｃであったのが、イオンカーテン取付け３０分後には３２５０個／ｃｃに増加していた。
【００１２】
このマイナスイオンは、生鮮食品の鮮度保持に効果が期待されており、夏場特に梅雨時に冷蔵庫１過信による食中毒が多くなる、この場合もイオンカーテン４を使用しない冷蔵庫１よりも、鮮度保持の効果が大きくなり、又［０００９］に記載したように、マイナスイオンと遠赤外線により脱臭効果が期待出来るもので、冷蔵庫１内の消臭効果も大きいものである。
【００１３】
簡易タイプとしてはカーテン４に図２のように、マイナスイオンシール６を張付けた物、又はカーテン４にマイナスイオン塗料を塗布した物を使用する。
【００１４】
業務用のように冷蔵庫１の開閉が多く、あまりカーテン４が長いと困る場合が有り、そのような場合は図４のようにマジックテープ８により、カーテン４を持ち上げ使用も可能である。
【００１５】
当然このカーテン４により、扉の開け閉めによる冷気の庫外放出が押さえられ、省エネ効果が期待出来るものであり、このマイナスイオンに関する効果は保健学博士の菅原明子先生の著書、「マイナスイオンの秘密」で種々述べられている。
【００１６】
このセラミックボール７を入れた容器に水を入れて置けば、マイナスイオン化した水が出来るので、このイオン水により布巾で庫内を清掃すれば、庫内の汚れは驚く程きれいになるので、エコロジー清掃として使用出来るものである。
【００１７】
【発明の効果】
本発明の効果としては、従来の庫内カーテンと異なり、マイナスイオンと遠赤外線の効果を有するカーテンで、庫内の消臭効果の他に、生鮮食品の鮮度保持効果も期待出来るものである。
【図面の簡単な説明】
【図１】冷蔵庫に庫内カーテンを取付けた一例を示す図である。
【図２】冷気穴５を有する庫内カーテン４に、マイナスイオン発生シール６を張付けた所を示す図である。
【図３】冷気穴５を有する庫内カーテン４に、マイナスイオン・遠赤外線発生セラミック又はセラミックボール７を、取付けた所を示す図である。
【図４】業務用の場合カーテンを持ち上げ使用を示す図である。
【符号の説明】
１  電気冷蔵庫
２  冷凍室
３  冷蔵庫
４  庫内カーテン
５  冷気穴
６  マイナスイオン発生シール
７  マイナスイオン発生セラミックボール
８  マジックテープ
【図１】
2005016921.tif 000003
【図２】
2005016921.tif 000004
【図３】
2005016921.tif 000005
【図４】
2005016921.tif 000006